【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
記録再生装置により読み出されるオーディオビジュアルデータ（２〜４）と、
複数のデータ部分（Ｍ１１〜Ｍ３ｉ）として構造化されたファームウェア更新データ（５）と
を有しており、
各データ部分は種々の記録再生装置タイプに対応する指標を含む
ことを特徴とするオーディオビジュアルデータ用リムーバブル記録媒体。
【請求項２】
前記ファームウェア更新データはリムーバブル記録媒体の単一のファイル（５０）内に記憶される、請求項１記載のリムーバブル記録媒体。
【請求項３】
前記ファームウェア更新データはリムーバブル記録媒体のディレクトリツリーの単一の専用ブランチ（５）または該専用ブランチのサブブランチ（５１〜５３）の複数のファイル（Ｍ１１〜Ｍ３ｉ）内に記憶される、請求項１記載のリムーバブル記録媒体。
【請求項４】
オーディオビジュアルプレイリスト（２）、クリップ関連情報（３）、オーディオビジュアルデータストリーム（４）およびファームウェア更新データ（５）に対する個別のブランチを含むデータ構造を有する、請求項１から３までのいずれか１項記載のリムーバブル記録媒体。
【請求項５】
オーディオビジュアルデータ（２〜４）の配信に用いられるリムーバブル記録媒体による記録再生装置内の不揮発性メモリの自動更新方法において、
挿入された記録媒体が複数のデータ部分として構造化されたファームウェア更新データを含むか否かを検出するステップと、
記録再生装置タイプおよび／または記録再生装置メーカの指標を含むファームウェア更新データのデータ部分を検出するステップと、
記録再生装置タイプおよび／または記録再生装置メーカの指標を求めるステップと、
検出された記録再生装置タイプおよび／または記録再生装置メーカの指標と求められた記録再生装置タイプおよび／または記録再生装置メーカの指標とを比較するステップと、
比較結果にしたがって、ファームウェア更新データのうち、記録再生装置タイプおよび／または記録再生装置メーカの指標の一致するデータ部分を選択するステップと、
ファームウェア更新データのうち選択されたデータ部分を記録媒体（Ｄ）から読み出すステップと、
読み出されたファームウェア更新データを記録再生装置内の不揮発性メモリに記憶し、読み出されたファームウェア更新データまたはその一部を用いて記録再生装置のファームウェアを更新するステップと、
記録媒体からオーディオビジュアルデータを読み出して再生するステップと
を有する
ことを特徴とするリムーバブル記録媒体による記録再生装置内の不揮発性メモリの自動更新方法。
【請求項６】
記録媒体からオーディオビジュアルデータを読み出して再生するステップを、読み出されたファームウェア更新データを不揮発性メモリに記憶するステップの前に実行し、さらに、読み出されたファームウェア更新データを一時記憶するステップを、オーディオビジュアルデータを読み出して再生するステップ中に行う、請求項５記載の方法。
【請求項７】
さらに、不揮発性メモリに記憶されたファームウェアデータの一部を記録媒体から読み出されたファームウェア更新データによって置換し、ファームウェアデータのＲＡＭコピーを更新するステップを行う、請求項５または６記載の方法。
【請求項８】
ファームウェア更新データのうち選択されたデータ部分を記憶するステップの前に、ファームウェア更新データが記憶されていないかどうかを検出するステップを行う、請求項５から７までのいずれか１項記載の方法。
【請求項９】
オーディオビジュアルデータ（２〜４）の配信に用いられるリムーバブル記録媒体（Ｄ）に対する記録再生装置において、
挿入された記録媒体が複数のデータ部分として構造化されたファームウェア更新データを含むか否かを検出し、記録再生装置タイプおよび／または記録再生装置メーカの指標に関連するデータ部分を検出する検出手段と、
記録再生装置タイプおよび／または記録再生装置メーカの指標を求める決定手段と、
ファームウェア更新データの記録再生装置タイプおよび／または記録再生装置メーカの指標と記録再生装置内の記録再生装置タイプおよび／または記録再生装置メーカの指標とを比較する比較手段と、
比較結果にしたがって、ファームウェア更新データのうち記録再生装置タイプおよび／または記録再生装置メーカの指標の一致するデータ部分を選択する選択手段と、
ファームウェア更新データのうち選択されたデータ部分を記録媒体から読み出す読出手段（ＯＰ）と、
読み出されたデータ部分を記録再生装置内に記憶し、読み出されたデータ部分を用いて記録再生装置のファームウェアを更新する不揮発性メモリ手段と
を有する
ことを特徴とするリムーバブル記録媒体に対する記録再生装置。
【請求項１０】
さらに、読み出されたファームウェア更新データを不揮発性メモリ手段に記憶する前に一時記憶する記憶手段が設けられている、請求項９記載の記録再生装置。
【手続補正２】
【補正対象書類名】明細書
【補正対象項目名】０００８
【補正方法】変更
【補正の内容】
【０００８】
請求項５にはオーディオビジュアルデータの配信に用いられるリムーバブル記録媒体による記録再生装置内の不揮発性メモリの自動更新方法が記載されている。この方法は、挿入された記録媒体が複数のデータ部分として構造化されたファームウェア更新データを含むか否かを検出するステップと、記録再生装置タイプおよび／または記録再生装置メーカの指標を含むファームウェア更新データのデータ部分を検出するステップと、記録再生装置タイプおよび／または記録再生装置メーカの指標を求めるステップと、検出された記録再生装置タイプおよび／または記録再生装置メーカの指標と求められた記録再生装置タイプおよび／または記録再生装置メーカの指標とを比較するステップと、比較結果にしたがって、ファームウェア更新データのうち、記録再生装置タイプおよび／または記録再生装置メーカの指標の一致するデータ部分を選択するステップと、ファームウェア更新データのうち選択されたデータ部分を記録媒体から読み出すステップと、読み出されたファームウェア更新データを記録再生装置内の不揮発性メモリに記憶し、読み出されたファームウェア更新データまたはその一部を用いて記録再生装置のファームウェアを更新するステップと、記録媒体からオーディオビジュアルデータを読み出して再生するステップとを有する。
【手続補正３】
【補正対象書類名】明細書
【補正対象項目名】０００９
【補正方法】変更
【補正の内容】
【０００９】
請求項９には前述の方法を利用したオーディオビジュアルデータの配信に用いられるリムーバブル記録媒体に対する記録再生装置が記載されている。この記録再生装置は、挿入された記録媒体が複数のデータ部分として構造化されたファームウェア更新データを含むか否かを検出し、記録再生装置タイプおよび／または記録再生装置メーカの指標に関連するデータ部分を検出する検出手段と、記録再生装置タイプおよび／または記録再生装置メーカの指標を求める決定手段と、ファームウェア更新データの記録再生装置タイプおよび／または記録再生装置メーカの指標と記録再生装置内の記録再生装置タイプおよび／または記録再生装置メーカの指標とを比較する比較手段と、比較結果にしたがって、ファームウェア更新データのうち記録再生装置タイプおよび／または記録再生装置メーカの指標の一致するデータ部分を選択する選択手段と、ファームウェア更新データのうち選択されたデータ部分を記録媒体から読み出す読出手段と、読み出されたデータ部分を記録再生装置内に記憶し、読み出されたデータ部分を用いて記録再生装置のファームウェアを更新する不揮発性メモリ手段とを有する。また、記録再生装置は再生および／または記録を行うことができる。